(57)【特許請求の範囲】
【請求項１】
基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、スライダー内壁面に傾斜摺動穴を設け、レールに係止孔を設け、この傾斜摺動穴に係止部材を摺動自在に配設し、回転刃が重力方向と平行の時、係止部材が傾斜摺動穴に位置し、スライダーの上下動を可能とし、また回転刃が、重力方向と平行な位置から傾斜摺動穴の方向に０度を超えて９０度以下の範囲でずれた時、係止部材が係止孔に一部挿入されて、スライダーの上下動を不可能とし、回転刃がレール下方端面から露呈しないことを特徴とするカッター。
【請求項２】
スライダー内壁面に設けた傾斜摺動穴に摺動リングを埋め込み、前記摺動リング内に先端に段部を有する係止部材を摺動可能に設けたことを特徴とする請求項１のカッター。
【請求項３】
円柱形状の係止部材を傾斜摺動穴に設け、傾斜摺動穴の最下端面に空気孔を設けて係止部材の摺動を行うことを特徴とする請求項２のカッター。
【請求項４】
基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、
前記スライダーは、レール内に設けられたスライダー支持部と、回転刃を取り付けたスライダー作動部からなり、
前記スライダー支持部とスライダー作動部は面摺動しており、スライダー支持部とスライダー作動部のそれぞれの接触面には傾斜摺動穴を設け、この傾斜摺動穴の中を係止部材が摺動可能であり、
回転刃が重力方向と平行の時、係止部材はスライダー作動部の傾斜摺動穴に位置し、スライダー作動部の上下動を可能とし、
また、回転刃が、重力方向と平行な位置から傾斜摺動穴の方向に０度を超えて９０度以下の範囲でずれた時、係止部材はスライダー支持部の傾斜摺動穴に一部挿入され、スライダー作動部の上下動を不可能とし、回転刃がレール下方端面から露呈しないことを特徴とするカッター。
【発明の詳細な説明】
【０００１】
【発明の属する技術分野】
本発明は、回転刃を有するスライダーを下方に押圧しながらレールに沿って摺動させることにより紙を切断するペーパー用カッターに関するものである。
【０００２】
【従来の技術】
従来より、回転刃を有するスライダーを下方に押圧しながらレールに沿って摺動させることにより回転刃が基台にセットされた紙を押し付けた状態で回転し、これにより紙を切断することができるペーパー用カッターは知られており、例えば、米国特許５，３２２，００１号、特開平１０−３４５９２号などに開示されている。この種のペーパー用カッターは、基台の前後両端に回動自在に取り付けられた支持具にてレールを保持し、そのレールに回転刃を有するスライダーを摺動自在かつ昇降自在に装着してあるもので、そのスライダーは弾発部材により常時は上方に弾発支持されており、回転刃の刃先は常時はレールの下端よりも上方に位置しているものである。そして、切断しようとする紙を基台にセットしたりスライダーに保持された回転刃を交換する作業は、支持具を回動させてレールを上方に位置させた状態で行うものとしており、紙をセットした後や回転刃を交換した後には、再度支持具を回動させてレールを下方に位置させるものとしている。
【０００３】
【発明が解決しようとする課題】
ところが、従来のこの種のペーパー用カッターではスライダーがレールに対して常に昇降自在となっているため、支持具を回動させてレールを上方もしくは下方に位置させる時や、紙を基台にセットしたり回転刃を交換する時に、例えばスライダーを手で握るようにして持つなどして、スライダーを常時上方に弾発支持している弾発部材の弾発力に抗する力がスライダーに少しでも加わると、スライダーが下降して回転刃の刃先がレールの下端より突出してしまい、その刃先で指を傷つけてしまう恐れがあった。そこで、本発明はそのような問題点を解消して、基台に紙をセットする時や回転刃を交換する時において指を傷つける恐れのない安全性の高いペーパー用カッターを提供することを目的とするものである。
【０００４】
【課題を解決するための手段】
上記の課題を解決するために完成された第１の発明のカッターは、基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、スライダー内壁面に傾斜摺動穴を設け、レールに係止孔を設け、この傾斜摺動穴に係止部材を摺動自在に配設し、回転刃が重力方向と平行の時、係止部材が傾斜摺動穴に位置し、スライダーの上下動を可能とし、また回転刃が、重力方向と平行な位置から傾斜摺動穴の方向に０度を超えて９０度以下の範囲でずれた時、係止部材が係止孔に一部挿入されて、スライダーの上下動を不可能とし、回転刃がレール下方端面から露呈しないことを特徴とする。
また、第２の発明は、スライダー内壁面に設けた傾斜摺動穴に摺動リングを埋め込み、前記摺動リング内に先端に段部を有する係止部材を摺動可能に設けたことを特徴とする第１の発明のカッターである。
【０００５】
また、第３の発明は、円柱形状の係止部材を傾斜摺動穴に設け、傾斜摺動穴の最下端面に空気孔を設けて係止部材の摺動を行うことを特徴とする第２の発明のカッターである。
また、第４の発明は、基台の前後両端に回転自在に取り付けられた支持具にスライダーが摺動するレールを取り付け、更に前記スライダーには回転刃を取りつけ、常時は弾性部材により上方に弾発支持されレール下方端面より前記回転刃を露呈することはなく、また、切断時にはスライダーを下方に押しやることで回転刃をレール下方端面より露呈し切断物を切断可能とするカッターにおいて、前記スライダーは、レール内に設けられたスライダー支持部と、回転刃を取り付けたスライダー作動部からなり、前記スライダー支持部とスライダー作動部は面摺動しており、スライダー支持部とスライダー作動部のそれぞれの接触面には傾斜摺動穴を設け、この傾斜摺動穴の中を係止部材が摺動可能であり、回転刃が重力方向と平行の時、係止部材はスライダー作動部の傾斜摺動穴に位置し、スライダー作動部の上下動を可能とし、また、回転刃が、重力方向と平行な位置から傾斜摺動穴の方向に０度を超えて９０度以下の範囲でずれた時、係止部材はスライダー支持部の傾斜摺動穴に一部挿入され、スライダー作動部の上下動を不可能とし、回転刃がレール下方端面から露呈しないことを特徴とするカッターである。
【０００６】
【実施例】
本発明の第１の実施例について図１、図２、図３、図４、図５より詳細に説明する。
１は、基台であり前後端に支持具２を回転可能に設けている。また、前記基台１の上面には回転刃５を保護する保護シートが設けられ、更に紙合わせ様に目盛が設けられている。（目盛は図示せず）この保護シートは張り替え自在であり、回転刃５の切断作業において回転刃５の保護をするものである。
特に保護シートについては、回転刃５を保護できれば特定するものではない。
【０００７】
３は、略コ字状のレールであり、両端を支持具２に取りつけられている。上辺は、下辺より短くなっている。更に、下辺には弾性部材６を誘導案内する壁を設けてもよい。
前記レール３の上辺１０で回転刃５側の折返部１４には、水平で長孔形状に係止孔１５が設けられている。係止孔１５は、両端の支持具２には存在しない。
【０００８】
４は、誘導部７と押圧力が作用する作動部８とコ字状レール３の上辺を覆うスライダー本体部９からなるスライダーであり、前記略コ字状のレール３中に誘導部７を配置しており、誘導部７の下部には弾性部材６があり、スライダー４全体を上方に弾発支持している。
この時、レール３の下辺１１の下端面より回転刃５は露呈していない。
５は、中心に軸１９が設けられた回転刃であり、カバー１２により回転可能にスライダー本体部９に着脱自在に嵌合固定されている。前記カバー１２とスライダー本体部９の嵌合は、圧着嵌合、クリック嵌合、凹凸によるスライド嵌合等、着脱自在であればその方法は問わない。
【０００９】
６は、弾性部材であり、誘導部７と一体に弾性体として設けてもよく、また、別部材として誘導部７の下部に設けられていてもよい。一体とした時には、合成樹脂からなるのが最適である。
１３は、有底筒状の傾斜摺動穴で回転刃５側を下側に傾斜しており、段部１８を有する係止部材１６が前記傾斜摺動穴１３中を摺動可能に設けられ、更に円筒状の摺動リング１７をスライダー内壁面に端面を一致させ、前記傾斜摺動穴１３の有底と空間Ｓを作るように埋め込んでいる。
従って、係止部材１６の段部１８は、この空間Ｓ間を摺動する。
前記傾斜摺動穴１３の傾斜角度θは、２°≦θ＜９０°である。特に好ましくは、傾斜摺動穴１３の傾斜角度θは、２°≦θ≦４５°である。
ここで傾斜角度θは、回転刃５の中心線と傾斜摺動穴１３とがなす角度である。
【００１０】
１６は、前記しているように係止部材であり、段部１８を有している。従って、重心は、前記段部１８の方に位置している。摺動リング１７内を摺動する前記係止部材１６の形状は、摺動できればよく其の形状は問わない。
材質は、係止部材１６と摺動リング１７が、金属物質で係止部材１６の表面及び摺動リング１７の内壁面に潤滑性があり、さらに鏡面仕上げされていればなおよい。お互いが摺動しやすくなるので傾斜角度θが、小さくても摺動可能となる。
【００１１】
本発明のカッターの回転刃５を交換するには、支持具２とレール３を基台１に対し垂直に位置させた時（回転刃５が重力方向と垂直状態にあるとき）、全体的には図２（回転刃５を交換するもしくは切断物をセットする時）の状態にして、カバー１２側を上に出来、カバー１２とスライダー本体部９との嵌合を解除しやすく、回転刃５が取り替え可能となる。
本実施例の作動について、詳細に説明する。
支持具２とレール３を基台１に対し水平に位置させた時（回転刃５が重力方向と平行状態にあるとき）、係止部材１６は、図３の状態でありスライダー内壁面２０から出ていない。
これは、傾斜摺動穴１３が回転刃５側を下側に傾斜しているので前記状態では、係止部材１６は常に傾斜摺動穴１３の有底に位置しているためである。
よって、作動部８に下向きの押圧力を加えると、スライダー４は弾性部材６の弾発力に抗して、スライダー４を下方に押しやり、前記回転刃５が下辺１１の下端面より露呈して切断物を切断可能としている。
【００１２】
支持具２とレール３を基台１に対し垂直に位置させた時（回転刃５が重力方向と垂直状態にあるとき）、全体的には図２（回転刃５を交換するもしくは切断物をセットする時）であり、係止部材１６は、図４の状態にありスライダー内壁面２０より出て、レール３の係止孔１５に挿入される。こうして挿入されたため、作動部８に押圧力を加えてもスライダー４は、回転刃５がレール３の下辺１１の下端面より露呈する方向に作動しない。
この時、段部１８は、空間Ｓの中を摺動移動することになる。
【００１３】
また、基台１より少しでも支持具２及びレール３を持上げると係止部材１６が係止孔１５の方向に移動しスライダー内壁面２０から飛び出し前記係止孔２０にかかり、作動部１８に作用する押圧力によって動くスライダー４の動きを防止する。
本発明の第２の実施例を図６、図７より詳細に説明するが、特に第２の実施例では、第１の実施例と異なるところを説明する。
１３Ａは、有底の傾斜摺動穴であり、回転刃５側を下側にして傾斜しており、特に、係止部材１６Ａが摺動すると空気の抜けが必要となるため、空気孔２１を傾斜摺動穴１３Ａの有底に設けている。
【００１４】
１６Ａは、係止部材であり、金属製の円柱形状をしており、傾斜摺動穴１３Ａを摺動可能としている。金属製の円柱形状としているが、摺動する形状であれば四角柱であっても其の形状は問わない。
図６の状態は、支持具２とレール３を基台１に対し水平に位置させた時（回転刃５が重力方向と平行状態にあるとき）であり、係止部材１６Ａは、傾斜摺動穴１３Ａの有底に位置しており、スライダー内壁面２０から出ることはない。従って、作動部８に押圧力を作用させて弾性部材６の弾発力に抗してスライダー４を下方に移動させ、レール３の下辺１１から回転刃５を露呈することになり切断可能となる。
【００１５】
図７の状態は、全体的に図２のように支持具２とレール３を基台１に対し垂直に位置させた時（回転刃５が重力方向と垂直状態にあるとき）であり、係止部材１６Ａは、レール３に設けた係止孔１５に挿入される。
この状態になると、作動部８に押圧力を加えてもスライダー４は移動せず、レール３の下辺１１より回転刃５を露呈することはない。
本実施例の傾斜摺動穴の傾斜角度は、第１の実施例の傾斜摺動穴と同様である。
【００１６】
本発明の第３の実施例を図８、図９、図１０より詳細に説明すが、特に第３の実施例では第１及び第２の実施例と異なるところを説明する。
スライダー本体部９は、スライダー作動部２３とスライダー支持部２２からなり、スライダー支持部２２はコ字状のレール３内に設けられ、スライダー作動部２３の下方に弾性部材６Ｂを設けて、前記弾性部材６Ｂによりスライダー作動部２３を上辺１０に押圧しており、回転刃５をレール３の下辺１１より露呈することはない。
【００１７】
前記スライダー支持部２２とスライダー作動部２３は面摺動しており、スライダー支持部２２の接触面には、スライダー作動部２３の上方への動きを規制する爪２４を設けており、スライダー作動部２３の面摺動する上端面を前記弾性部材６Ｂにより爪２４に圧着させている。この時、スライダー支持部２２とスライダー作動部２３のそれぞれの接触面に設けた、傾斜摺動穴１３Ｂは一致し、この傾斜摺動穴１３Ｂの中を係止部材１３Ａが摺動可能としている。常時（作動部８に押圧力を作用させる状態）は、スライダー支持部２２とスライダー作動部２３がこの状態である。
また、スライダー支持部２２の下方に弾性部材６Ｃ（図示せず）を設けてレール３との摺動を行いやすくすることも可能である。
【００１８】
図８の状態は、支持具２とレール３を基台１に対し水平に位置させた時（回転刃５が重力方向と平行状態にあるとき）であり、係止部材１３Ｂはスライダー作動部２３の傾斜摺動穴１３Ｂに完全に位置しており、作動部８に作用する押圧力によるスライダー作動部２３の上下動を可能にして回転刃５がレール３の下辺１１の下端面から露呈可能となる。
図９の状態は、全体的に図２のように支持具２とレール３を基台１に対し垂直に位置させた時（回転刃５が重力方向と垂直状態にあるとき）であり、係止部材１３Ｂはスライダー支持部２２の傾斜摺動穴１３Ｂに一部挿入され、他はスライダー作動部２３の傾斜摺動穴１３Ｂに位置する。この状態であるので、作動部８に押圧力を作用させてもスライダー作動部２３は動くことはない。従ってレール３の下辺１１の下端面より回転刃５を露呈することはない。
【００１９】
また、極わずか回転刃５と重力方向がずれても係合部材１３Ｂはスライダー支持部２２の傾斜摺動穴１３Ｂにのぞむことになるのでスライダー作動部２３の動き、すなわち回転刃５が露呈することはない。
【００２０】
従って、第１、第２、第３の実施例とも安全に回転刃５の交換作業が行えるとともに、不用意に触っても回転刃５が露呈しないので手等を傷つけることもない。
また本発明の構成では、回転刃５が基台１に垂直関係にあっても、基台１が置かれている場所が斜めの場合（回転刃５が重力方向からずれている状態）であると、分銅１２は切欠１７にのぞむことになりスライダー４に押圧力が作用しても、回転刃５がレール３の下端面より露呈することはない。従って、不安定な場所で作業できないようになり安全性を確保できる。
【００２１】
他の材質は、回転刃５は鋼であり、レール３はスチールが好ましい。
プラスチック部材は、スライダー４と基台１、支持部２で作られている。
【００２２】
【効果】
以上の様な構成であるので、回転刃５を交換する際、少しレール３及び支持具２を基台１より持上げると係止部材が作動して係止孔又はスライダー支持部の傾斜摺動穴に挿入され、不用意にスライダー４に触って、スライダー４は回転刃５がレール３の下端面から露呈する方向に作用しても回転刃５がレール３から露呈することはない。
また回転刃５が基台１に垂直関係にあっても、基台１が置かれている場所が斜めで不安定であると、係止部材が係止孔又はスライダー支持部の傾斜摺動穴にのぞむことになりスライダー４に押圧力が作用しても、回転刃５がレール３の下端面より露呈することはない。従って、不安定な場所で作業できないようになり安全性を確保できるカッターである。
【００２３】
【図面の簡単な説明】
【図１】本発明の実施例の全体斜視図。（回転刃５と重力方向が平行である。）
【図２】本発明の実施例の支持具及びレールを作用させた時の一部斜視図。（回転刃５と重力方向が垂直方向に移っている場合）
【図３】第１の実施例の図１状態のスライダー略断面図。
【図４】第１の実施例の図２状態のスライダー略断面図。
【図５】第１の実施例の係止部材と摺動リングの斜視図。
【図６】第２の実施例の図１状態のスライダー略断面図。
【図７】第２の実施例の図２状態のスライダー略断面図。
【図８】第３の実施例の図１状態のスライダー略断面図。
【図９】第３の実施例の図２状態のスライダー略断面図。
【図１０】第３の実施例のスライダー支持部とスライダー作動部の接触面の説明図
【符号の説明】
１：基台
２：支持具
３：レール
４：スライダー
５：回転刃
６：弾性部材
７：誘導部
８：作動部
９：スライダー本体部
１０：上辺
１１：下辺
１２：カバー
１３：傾斜摺動穴
１４：折返部
１５：係止孔
１６：係止部材
１７：摺動リング
１８：段部
１９：軸
２０：スライダー内壁面
２１：空気孔
２２：スライダー支持部
２３：スライダー作動部
２４：爪
【図１】
0004301615.tif 000002
【図２】
0004301615.tif 000003
【図３】
0004301615.tif 000004
【図４】
0004301615.tif 000005
【図５】
0004301615.tif 000006
【図６】
0004301615.tif 000007
【図７】
0004301615.tif 000008
【図８】
0004301615.tif 000009
【図９】
0004301615.tif 000010
【図１０】
0004301615.tif 000011